(57)【特許請求の範囲】
【請求項１】
１本の支柱に支持された手摺り部材の取り付け角度を調整可能とする手摺りの角度調整機構において、
中心部に固定ボルトが貫通される貫通孔が設けられた正面視略円盤状の角度調整盤であって、外周面には手摺り部材を支持する手摺り支持体が取り付けられると共に、円盤状の表面には奥に行くにしたがって次第に幅狭に形成された断面略Ｖ字形状のＶ溝が複数隣接して配置された角度調整盤と、
前記支柱の頂部に設けられ、上部側に前記角度調整盤が収容配置される側面視略Ｕ字形状の収容部を備えた角度調整部ベースであって、前記角度調整盤に設けられた前記貫通孔に対応する位置には前記固定ボルトが挿通されるボルト孔が設けられ、前記Ｖ溝に対応する位置には角度調整ネジを取り付けるための角度調整用ネジ孔が設けられた角度調整部ベースと、
を備え、
前記角度調整用ネジ孔を介して複数の前記Ｖ溝のうちの所定のＶ溝に前記角度調整ネジを固定することによって前記手摺り支持体に支持された手摺り部材の角度を所望の角度に位置させた状態で前記手摺り部材を強固に固定することを特徴とする手摺りの角度調整機構。
【請求項２】
請求項１に記載の手摺りの角度調整機構において、
前記角度調整用ネジ孔は２箇所に設けられると共に、前記角度調整用ネジ孔に対応する複数のＶ溝も角度調整盤の表面の２箇所に設けられていることを特徴とする手摺りの角度調整機構。
【請求項３】
請求項１又は２に記載の手摺りの角度調整機構において、
前記手摺り支持体は前記角度調整盤の外周面の２箇所に設けられていることを特徴とする手摺りの角度調整機構。
【請求項４】
請求項１から３のいずれか１項に記載の手摺りの角度調整機構において、
前記支柱は高さ調整可能に形成されていることを特徴とする手摺りの角度調整機構。
【発明の詳細な説明】
【技術分野】
【０００１】
本発明は、手摺りの角度調整機構に関し、特に、１本の支柱に手摺り部材を水平或いは所定の傾斜に確実に固定することが可能な角度調整機構に関する。
【背景技術】
【０００２】
床や通路等に設置される手摺りは、長尺の手摺り部材の両端をそれぞれ支柱で支持した構造が一般的である。しかし、場所によっては手摺り部材の両端を支持する支柱を配置することができない場合もある。そのような場合には長尺の手摺り部材の途中位置を一本の支柱で支持することになる。手摺り部材の両端をそれぞれ支柱で支持する構造の手摺りの場合には床や通路等の傾斜角度に応じて傾斜して配置することは比較的容易であるが、１本の支柱で支持する後者の構造の手摺りの場合には、手摺り部材と支柱の結合は１カ所になるため、手摺り部材を任意の角度に設定（調整）することは容易であるが、それを確実に固定することは容易でない。
【０００３】
このような構造の手摺りの一例として、例えば、特許文献１に示すものがある。特許文献１に示される手摺りは、笠木を楕円型にし、その中間部に取付部材を介在させ、１本の支柱に取り付けたものである。笠木の傾斜角度の調整は、取付部材の面歯車部と被固着部材の面歯車部との噛み合わせにより行えるようにし、挿通孔を介してビス止めすることで笠木を固定している。
【先行技術文献】
【特許文献】
【０００４】
【特許文献１】特開２０１１−３２７０１号公報
【発明の概要】
【発明が解決しようとする課題】
【０００５】
しかしながら、長尺の手摺り部材の途中位置を一本の支柱で支持する構造の手摺りの場合には、手摺り部材の端部に加わる力は支持部分に大きな負荷となる。そのため、特許文献１のような面歯車部同士の噛み合わせ構造とすることは有効な手段であるが、歯車の噛み合わせが十分でないと噛み合わせが外れて笠木が回動するおそれがある。万一、笠木が回動してしまうと大きな事故につながりかねないので、手摺り部材は確実に固定される必要がある。また、角度を変更する場合には歯車部同士の噛み合わせを一旦解除する必要があり、調整が煩雑になりやすい。
【０００６】
そこで、本発明は、かかる問題点に鑑みなされたもので、手摺り部材が１本の支柱に支持される構造の手摺りであっても角度調整が簡単で、手摺り部材が支柱に確実に固定できるようにした手摺りの角度調整機構を提供することを目的とする。
【０００７】
また、本発明は、２本以上の支柱を設置することができない場所であっても１本の支柱に支持された手摺り部材の角度調整を可能とした手摺りの角度調整機構を提供することを目的とする。
【課題を解決するための手段】
【０００８】
上記課題を解決するために請求項１に記載の発明は、１本の支柱に支持された手摺り部材の取り付け角度を調整可能とする手摺りの角度調整機構において、中心部に固定ボルトが貫通される貫通孔が設けられた正面視略円盤状の角度調整盤であって、外周面には手摺り部材を支持する手摺り支持体が取り付けられると共に、円盤状の表面には奥に行くにしたがって次第に幅狭に形成された断面略Ｖ字形状のＶ溝が複数隣接して配置された角度調整盤と、支柱の頂部に設けられ、上部側に角度調整盤が収容配置される側面視略Ｕ字形状の収容部を備えた角度調整部ベースであって、角度調整盤に設けられた貫通孔に対応する位置には固定ボルトが挿通されるボルト孔が設けられ、Ｖ溝に対応する位置には角度調整ネジを取り付けるための角度調整用ネジ孔が設けられた角度調整部ベースを備え、角度調整用ネジ孔を介して複数のＶ溝のうちの所定のＶ溝に角度調整ネジを固定することによって手摺り支持体に支持された手摺り部材の角度を所望の角度に位置させた状態で手摺り部材を強固に固定することを特徴とする。
【０００９】
上記課題を解決するために請求項２に記載の本発明は、請求項１に記載の手摺りの角度調整機構において、前記角度調整用ネジ孔は２箇所に設けられると共に、前記角度調整用ネジ孔に対応する複数のＶ溝も角度調整盤の表面の２箇所に設けられていることを特徴とする。
【００１０】
上記課題を解決するために請求項３に記載の本発明は、請求項１又は２に記載の手摺りの角度調整機構において、前記笠木支持体は前記角度調整盤の外周面の２箇所に設けられていることを特徴とする。
【００１１】
上記課題を解決するために請求項４に記載の本発明は、請求項１から３のいずれか１項に記載の手摺りの角度調整機構において、前記支柱は高さ調整可能に形成されていることを特徴とする。
【発明の効果】
【００１２】
本発明に係る手摺りの角度調整機構によれば、角度調整盤に設けられた所定のＶ溝を角度調整用ネジで固定するように構成したので、角度調整の変更も簡単に行え、且つ、手摺り部材を確実に固定することができるので、安全性の高い１本の支柱に取り付けた手摺を提供することができるという効果がある。
【００１３】
また、本発明に係る手摺りの角度調整機構によれば、Ｖ溝を２箇所に設けているので手摺り部材を確実に保持することができるという効果がある。
【図面の簡単な説明】
【００１４】
【図１】本発明に係る角度調整機構の一実施形態の斜視図である。
【図２】本発明に係る角度調整機構を備えた手摺りの全体構成の正面図である。
【図３】（ａ）は角度調整盤の正面図、（ｂ）はＢ−Ｂ矢視断面図である。
【図４】角度調整盤の斜視図である。
【図５】角度調整部ベースの側面図である。
【図６】角度調整部ベースの正面図である。
【図７】（ａ）はベース柱と高さ調整柱の部分斜視図、（ｂ）は角度調整部ベースの周辺構成を示す斜視図である。
【図８】支柱に取り付けられる止めねじ（とがり先、くぼみ先）の構造を示す斜視図である。
【図９】手摺り部材を傾斜させた手摺りの一例を示す正面図である。
【発明を実施するための形態】
【００１５】
以下、本発明に係る手摺りの角度調整機構（以下、角度調整機構という）について、好ましい一実施形態に基づいて詳細に説明する。図１は本発明に係る角度調整機構の一実施形態の斜視図、図２は本発明に係る角度調整機構を備えた手摺りの全体構成の正面図、図３（ａ）は角度調整盤の正面図、同（ｂ）はＢ−Ｂ矢視断面図である。また、図４は角度調整盤の斜視図、図５は角度調整部ベースの側面図、図６は角度調整部ベースの正面図である。初めに、角度調整機構１が取り付けられた手摺り１０の全体構造について説明し、その後で角度調整機構１の構成について説明する。
【００１６】
［手摺り１０の全体構成］
手摺り１０は、図２に示すように、概略として、パイプ状のベース柱２ａと、このベース柱２ａに入れ子式に昇降自在に挿入される柱状の高さ調整柱２ｂによって形成される支柱２を備えており、高さ調整柱２ｂの頂部に角度調整機構１が取り付けられている。角度調整機構１は、後述するように、角度調整部ベース３と、角度調整部ベース３に回動自在に取り付けられる角度調整盤４によって構成されている。そして、角度調整盤４にはＶ字形に配置された手摺り支持体５ａ，５ｂが取り付けられており、手摺り支持体５ａ，５ｂには両端側がほぼ直角に屈曲された棒状の手摺り部材６が取り付けられて手摺り１０が形成されている。
【００１７】
また、ベース柱２ａの下端側にはベースプレート９が取り付けられており、ベースプレート９は図示しないアンカーにネジ止めなどの適宜の手段によって床や地面などの所定の取り付け箇所へ固定される。そして、ベース柱２ａに挿入された高さ調整柱２ｂを上下に昇降させることによって手摺り部材６の高さ位置を自由に調整することが可能とされている。ベース柱２ａに対する高さ調整柱２ｂの固定は、図７（ａ）に示すように、ベース柱２ａの側面の長さ方向に穿設された複数のネジ孔２ｃ，２ｃに図８（ｂ）に示す止めネジ（くぼみ先）８，８をねじ込むことにより行われる。
【００１８】
［角度調整機構の構成］
次に、角度調整機構１の構成について説明する。角度調整機構１は、概略として、角度調整部ベース３と、角度調整盤４を備えて構成されている。
【００１９】
角度調整盤４は、図３及び図４に示すように、中心部に固定ボルト２０が貫通される貫通孔４１が設けられた正面視略円盤状の円盤部４０を備えており、円盤部４０の側面の２箇所には棒状の手摺り部材６を支持する手摺り支持体５ａ，５ｂがＶ字形状に延伸するようにして取り付けられている。また、貫通孔４１の下方の円盤部４０の表面には円形状の外周縁に沿って奥に行くにしたがって次第に幅狭に形成された断面略Ｖ字形状のＶ溝４２ａ，４２ｂが２箇所にそれぞれ設けられている。Ｖ溝４２ａ，４２ｂは傾斜面が台形状とされ、山と谷の連続によって形成されており、Ｖ溝４２ａ，４２ｂの開口部の大きさや隣り合う間隔を適宜に調整することにより手摺り部材６の傾斜角度の調整可能範囲を適宜に変更することが可能である。
【００２０】
また、Ｖ溝４２ａ，４２ｂの谷部分には、後述する角度調整部ベース３に螺着される図８（ａ）に示す止めねじ（とがり先）７の先端が係止される。この止めねじ（とがり先）７は通称「イモネジ」と称されるものである。この止めねじ（とがり先）７の先端がＶ溝４２ａ，４２ｂの谷の一つに係止することによって角度調整盤４の回動が確実にロックされ、したがって、手摺り支持体５ａ，５ｂ及び手摺り部材６の回動が阻止される。ここで、Ｖ溝４２ａには後述する角度調整部ベース３に設けられた角度調整用ネジ孔３３ａが対応し、Ｖ溝４２ｂには後述する角度調整部ベース３に設けられた角度調整用ネジ孔３３ｂが対応する。
【００２１】
角度調整部ベース３は、図５に示すように、上部側に角度調整盤４が収容配置される側面視略Ｕ字形状の収容部３１を備えた本体３０と、角度調整盤４に設けられた貫通孔４１に対応する位置には固定ボルト２０が挿通されるボルト孔３２が設けられている。また、本体３０の下部側には高さ調整柱２ｂの上端が嵌入される基台部３４が形成されている。そして、ボルト孔３２の下方であって角度調整盤４に設けられたＶ溝４２ａ，４２ｂがそれぞれ位置する部分には角度調整用ネジである止めねじ（とがり先）７，７が螺着される角度調整用ネジ孔３３ａ，３３ｂがそれぞれ穿設されている。ここで、手摺り部材６を水平状態に設定した場合には角度調整用ネジ孔３３ａは図３（ａ）に示す一番右側のＶ溝４２ａに対応し、角度調整用ネジ孔３３ｂは図３（ａ）に示す一番右側のＶ溝４２ｂに対応する。そして、手摺り部材６を図（ａ）における左側が下がるように傾斜させた場合には、角度調整用ネジ孔３３ａ,３３ｂに対応するＶ溝４２ａ，４２ｂもそれぞれ左側に移動し、角度調整用ネジ孔３３ａ,３３ｂが一番左側のＶ溝４２ａ，４２ｂに対応した状態において、手摺り部材６が左側に最大傾斜させた状態となる。
【００２２】
［手摺りの角度調整方法］
次に、上述した角度調整機構１による手摺りの角度調整方法について説明する。初めに、手摺り１０設置する場所（床、通路等）を決定し、その設置場所に支柱２を設置するために図示しない複数のアンカーを所定の配置で埋設（または打ち込み）する。次に、ベース柱２ａの下端に取り付けられているベースプレート９をアンカーにネジ止めする。次いで、ベース柱２ａ内に高さ調整柱２ｂを挿入（予め高さ調整柱２ｂが挿入されていてもよい）し、所定の高さに調整する。所定の高さ位置において高さ調整柱２ｂを保持した状態で、止めネジ８，８を対応する複数のネジ孔２ｃ，２ｃにねじ込み、高さ調整柱２ｂをベース柱２ａに固定する。
【００２３】
次に、そして、予め手摺り支持体５ａ，５ｂと手摺り部材６を取り付け済みの状態の角度調整盤４を高さ調整柱２ｂの頂部に取り付けられた角度調整部ベース３の収容部３１に配置する。そして、手摺り部材６の角度を所望の角度に設定したところでそれぞれ角度調整用ネジ孔３３ａ，３３ｂに止めねじ８，８を十分にねじ込み、その先端をそれぞれＶ溝４２ａ，４２ｂの一つの谷（Ｖ溝）に係止させて角度調整盤４を角度調整部ベース３にしっかりと固定する。そして、固定ボルト２０をボルト孔３２と貫通孔４１を介して袋ナット２１でしっかりと固定する。以上の作業によって手摺り部材６を所定の角度に傾斜させた状態の手摺り１０が完成する（図２、図９参照）
【００２４】
尚、手摺り部材６の角度を変更したい場合には、固定ボルト２０を緩め、角度調整部ベース３の二つの止めねじ（とがり先）７，７を緩めて取り外し、次いで、手摺り部材６の傾斜角度を変更する。そして、所望の角度のところで再び止めねじ８，８を角度調整用ネジ孔３３ａ，３３ｂのそれぞれにねじ込み、固定ボルト２０及び袋ナット２１で固定して角度調整部ベース３と角度調整盤４とを確実に固定する。
【００２５】
［実施形態の効果］
本実施形態に係る角度調整機構によれば、手摺り支持体５ａ，５ｂが取り付けられた角度調整盤４の表面に２箇所にＶ溝４２ａ，４２ｂを形成し、このＶ溝４２ａ，４２ｂに角度調整部ベース３に設けた角度調整用ネジ孔３３ａ，３３ｂを介して止めねじ８，８をねじ込んで係止させ、さらに固定ボルト２０で固定することで手摺り部材６の傾斜角度を適宜に調整できると共に、角度調整部ベース３と角度調整盤４とを確実に固定することができるという効果がある。
【００２６】
また、本実施形態に係る角度調整機構によれば、Ｖ溝を２箇所に設けているので手摺り部材を確実に保持することができるという効果がある。
【００２７】
以上のように、好ましい実施形態について説明したが、本発明は係る特定の実施形態に限定されるものではなく、特許請求の範囲に記載された本発明の要旨の範囲内において、種々の変形・変更が可能であることはいうまでもない。
【符号の説明】
【００２８】
１  角度調整機構
２  支柱
２ａ  ベース柱
２ｂ  高さ調整柱
２ｃ  ネジ孔
３  角度調整部ベース
４  角度調整盤
５ａ，５ｂ  手摺り支持体
６  手摺り部材
９  ベースプレート
１０  手摺り
２０  固定ボルト
２１  袋ナット
３０  本体
３１  収容部
３２  ボルト孔
３３ａ，３３ｂ  角度調整用ネジ孔
３４  基台部
４０  円盤部
４１  貫通孔
４２ａ，４２ｂ  Ｖ溝
【図１】
0006491541.tif 000002
【図２】
0006491541.tif 000003
【図３】
0006491541.tif 000004
【図４】
0006491541.tif 000005
【図５】
0006491541.tif 000006
【図６】
0006491541.tif 000007
【図７】
0006491541.tif 000008
【図８】
0006491541.tif 000009
【図９】
0006491541.tif 000010